(57)【要約】【課題】前幕用昇降コードと後幕用昇降コードをローマンシェードのヘッドレールへ簡単に取り付けられる昇降コード案内具を実現する。【解決手段】昇降コード案内具１は、互いに組み立てられ、かつ分解可能な、前幕用昇降コードガイド１４及び後幕用昇降コードガイド１５を備えており、前幕用昇降コードガイド１５は、前幕用昇降コード案内杆３１を支持する前脚２３及び後脚２４を備え、ヘッドレール３の前壁４と後壁５の間の下部開口７から前幕用昇降コード１６をヘッドレール３内に挿入してから、前幕用昇降コードガイド１４も下部開口７からヘッドレール３に挿入して取り付け可能であり、後幕用昇降コードガイド１５は、後幕用昇降コード案内杆３８を有しており、ヘッドレール３に取り付けられた前幕用昇降コードガイド１４に、ヘッドレール３の下部開口７側から後幕用昇降コード１７をヘッドレール３内に挿入してから、下部開口側７から装着して一体とする。【選択図】図７
2008284074.tif 000002
【特許請求の範囲】
【請求項１】
前壁、頂壁及び後壁を有するヘッドレールを備え、前幕及び後幕を開閉可能とする前幕用昇降コード及び後幕用昇降コードを案内するローマンシェード用の昇降コード案内具であって、
前記昇降コード案内具は、互いに装着されて一体に組み立てられ、かつ分解可能な、前幕用昇降コードガイド及び後幕用昇降コードガイドを備えており、
前記前幕用昇降コードガイドは、前幕用昇降コード案内杆を支持する前脚及び後脚を備え、前記ヘッドレールの前壁と後壁の間の下部開口からヘッドレールに挿入して取り付け可能であり、
前記後幕用昇降コードガイドは、後幕用昇降コード案内杆を有しており、前記ヘッドレールの下部開口側から、前記ヘッドレールに取り付けられた前記前幕用昇降コードガイドに装着して一体となる構成であることを特徴とするローマンシェード用の昇降コード案内具。
【請求項２】
前壁、頂壁及び後壁を有するヘッドレールを備え、前幕及び後幕を開閉可能とする前幕用昇降コード及び後幕用昇降コードを案内するローマンシェード用の昇降コード案内具であって、
前記昇降コード案内具は、互いに装着されて一体に組み立てられ、かつ分解可能な、前幕用昇降コードガイド及び後幕用昇降コードガイドを備えており、
前記前幕用昇降コードガイドは、前幕用昇降コード案内杆を支持する前脚及び後脚を備え、前記ヘッドレールの前壁と後壁の間の下部開口から前幕用昇降コードをヘッドレール内に挿入してから、該前幕用昇降コードガイドも該下部開口からヘッドレールに挿入して取り付け可能であり、
前記後幕用昇降コードガイドは、後幕用昇降コード案内杆を有しており、前記ヘッドレールに取り付けられた前記前幕用昇降コードガイドに、前記ヘッドレールの下部開口側から後幕用昇降コードをヘッドレール内に挿入してから、該下部開口側から装着して一体となる構成であることを特徴とするローマンシェード用の昇降コード案内具。
【請求項３】
前記前幕用昇降コードガイドは、前記前脚及び後脚にそれぞれ並設された弾力性を有する前部切欠片及び後部切欠片が形成されており、該前部切欠片及び後部切欠片の嵌合部がヘッドレール下部開口縁部に摺動可能に嵌合することを特徴とする請求項１又は２記載のローマンシェード用の昇降コード案内具。  
【請求項４】
前記後幕用昇降コードガイドは、前記後幕用昇降コード案内杆を有し、前幕用昇降コードガイドに装着しかつ取りはずし可能な本体部、及び前記ヘッドレールに対して摺動と固定を切り替えて取り付けられることのできる摺動固定切替部を備えており、
前記ヘッドレールの下部開口側から、前記ヘッドレールに取り付けられた前記前幕用昇降コードガイドに、前記後幕用昇降コードガイドの本体部が装着されて前記前幕用昇降コードガイドと後幕用昇降コードガイドが一体とされ、前記ヘッドレールに前記摺動固定切替部を固定することによって、前記前幕用昇降コードガイドと後幕用昇降コードガイドがヘッドレールに固定される構成であることを特徴とする請求項１、２又は３記載のローマンシェード用の昇降コード案内具。
【請求項５】
前記後幕用昇降コードガイドの本体部は、後幕用昇降コード案内杆を支持する前板及び後板を有し、該前板及び後板は、前記前幕用昇降コードガイドにおける、前脚及び前部係止片と、後脚及び後部係止片との間に、着脱可能に装着される構成であることを特徴とする請求項４記載のローマンシェード用の昇降コード案内具。
【請求項６】
前壁、頂壁及び後壁を有するヘッドレールを備え、前幕及び後幕を開閉可能とする前幕用昇降コード及び後幕用昇降コードを案内するローマンシェード用の昇降コード案内具であって、
前記昇降コード案内具は、互いに装着されて一体に組み立てられ、かつ分解可能な、前幕用昇降コードガイド及び後幕用昇降コードガイドを備えており、
前記後幕用昇降コードガイドは、後幕用昇降コード案内杆を支持する前脚及び後脚を備え、前記ヘッドレールの前壁と後壁の間の下部開口からヘッドレールに挿入して取り付け可能であり、
前記前幕用昇降コードガイドは、前幕用昇降コード案内杆を有しており、前記ヘッドレールの下部開口側から、前記ヘッドレールに取り付けられた前記後幕用昇降コードガイドに装着して一体となる構成であることを特徴とするローマンシェード用の昇降コード案内具。
【請求項７】
前壁、頂壁及び後壁を有するヘッドレールを備え、前幕及び後幕を開閉可能とする前幕用昇降コード及び後幕用昇降コードを案内するローマンシェード用の昇降コード案内具であって、
前記昇降コード案内具は、互いに装着されて一体に組み立てられ、かつ分解可能な、前幕用昇降コードガイド及び後幕用昇降コードガイドを備えており、
前記後幕用昇降コードガイドは、後幕用昇降コード案内杆を支持する前脚及び後脚を備え、前記ヘッドレールの前壁と後壁の間の下部開口から後幕用昇降コードをヘッドレール内に挿入してから、該後幕用昇降コードガイドも該下部開口からヘッドレールに挿入して取り付け可能であり、
前記前幕用昇降コードガイドは、前幕用昇降コード案内杆を有しており、前記ヘッドレールに取り付けられた前記後幕用昇降コードガイドに、前記ヘッドレールの下部開口側から前幕用昇降コードをヘッドレール内に挿入してから、該下部開口側から装着して一体となる構成であることを特徴とするローマンシェード用の昇降コード案内具。
【請求項８】
前記後幕用昇降コードガイドは、前記前脚及び後脚にそれぞれ並設された弾力性を有する前部切欠片及び後部切欠片が形成されており、該前部切欠片及び後部切欠片の嵌合部がヘッドレール下部開口縁部に摺動可能に嵌合することを特徴とする請求項６又は７記載のローマンシェード用の昇降コード案内具。  
【請求項９】
前記前幕用昇降コードガイドは、前記前幕用昇降コード案内杆を有し、後幕用昇降コードガイドに装着しかつ取りはずし可能な本体部、及び前記ヘッドレールに対して摺動と固定を切り替えて取り付けられることのできる摺動固定切替部を備えており、
前記ヘッドレールの下部開口側から、前記ヘッドレールに取り付けられた前記後幕用昇降コードガイドに、前記前幕用昇降コードガイドの本体部が装着されて前記後幕用昇降コードガイドと前幕用昇降コードガイドが一体とされ、前記ヘッドレールに前記摺動固定切替部を固定することによって、前記前幕用昇降コードガイドと後幕用昇降コードガイドがヘッドレールに固定される構成であることを特徴とする請求項６、７又は８記載のローマンシェード用の昇降コード案内具。
【請求項１０】
前記前幕用昇降コードガイドの本体部は、前幕用昇降コード案内杆を支持する前板及び後板を有し、該前板及び後板は、前記後幕用昇降コードガイドにおける、前脚及び前部係止片と、後脚及び後部係止片との間に、着脱可能に装着される構成であることを特徴とする請求項９記載のローマンシェード用の昇降コード案内具。
【発明の詳細な説明】
【技術分野】
【０００１】
本発明は、前幕及び後幕を有するローマンシェード用の昇降コード案内具に関する。
【背景技術】
【０００２】
従来、前幕及び後幕を有するローマンシェードは知られている（特許文献１、２参照）。このようなローマンシェードでは、前幕用昇降コードと後幕用昇降コードを案内する昇降コード案内具は、ヘッドレールに装着されている。これら前幕用昇降コードと後幕用昇降コードは、基端は操作コードに接続され、先端は昇降コード案内具から、下方に案内されて、それぞれ前幕用昇降コードと前幕用昇降コードの下端部に接続されている。
【０００３】
ところで、従来のローマンシェード用の昇降コード案内具は、前幕用昇降コードと後幕用昇降コードが互いに絡みつかないように、ヘッドレールの前後に分離して設ける構成が知られている（特許文献１参照）。
【０００４】
また、従来のローマンシェード用の昇降コード案内具として、前幕用昇降コードと後幕用昇降コードが互いに絡みつかないように、前幕用昇降コードガイドと後幕用昇降コードガイドがそれぞれヘッドレールの上下に配置されるように一体とした構成も、すでに知られている。
【０００５】
【特許文献１】特開２００１−２１１９９３号公報
【特許文献２】実用新案登録第２５８０４１４号公報
【発明の開示】
【発明が解決しようとする課題】
【０００６】
上記従来のローマンシェードにおいて、前幕用昇降コードガイドと後幕用昇降コードガイドがそれぞれヘッドレールの上下に配置されるように一体にした構成の昇降コード案内具は、ヘッドレールへの昇降コード案内具及び昇降コードを取り付ける場合には次のような工程で行う。
【０００７】
即ち、ヘッドレールの長手方向の端部から昇降コード案内具を挿入して、所定の位置まで摺動させてから、昇降コード案内具のクリップでヘッドレールに固定する。そして、前幕用昇降コード及び後幕用昇降コードを、それぞれヘッドレールの長手方向の端部からヘッドレール内に挿入し、下位（又は上位の）の前幕用昇降コードガイド及びを上位（又は下位の）の後幕用昇降コードガイドに挿通して、下方に引き出す。
【０００８】
このように、ヘッドレールの長手方向の端部から、昇降コード案内具、前幕用昇降コード及び後幕用昇降コードを挿入して取り付ける作業はきわめて面倒である。本願発明は、上記前幕用昇降コードガイドと後幕用昇降コードガイドがそれぞれヘッドレールの上下に配置されるように一体にした昇降コード案内具について、ヘッドレールへの取り付け作業をより簡単にするための昇降コード案内具を実現することを課題とするものである。
【課題を解決するための手段】
【０００９】
本発明は上記課題を解決するために、前壁、頂壁及び後壁を有するヘッドレールを備え、前幕及び後幕を開閉可能とする前幕用昇降コード及び後幕用昇降コードを案内するローマンシェード用の昇降コード案内具であって、前記昇降コード案内具は、互いに装着されて一体に組み立てられ、かつ分解可能な、前幕用昇降コードガイド及び後幕用昇降コードガイドを備えており、前記前幕用昇降コードガイドは、前幕用昇降コード案内杆を支持する前脚及び後脚を備え、前記ヘッドレールの前壁と後壁の間の下部開口からヘッドレールに挿入して取り付け可能であり、前記後幕用昇降コードガイドは、後幕用昇降コード案内杆を有しており、前記ヘッドレールの下部開口側から、前記ヘッドレールに取り付けられた前記前幕用昇降コードガイドに装着して一体となる構成であることを特徴とするローマンシェード用の昇降コード案内具を提供する。
【００１０】
本発明は上記課題を解決するために、前壁、頂壁及び後壁を有するヘッドレールを備え、前幕及び後幕を開閉可能とする前幕用昇降コード及び後幕用昇降コードを案内するローマンシェード用の昇降コード案内具であって、前記昇降コード案内具は、互いに装着されて一体に組み立てられ、かつ分解可能な、前幕用昇降コードガイド及び後幕用昇降コードガイドを備えており、前記前幕用昇降コードガイドは、前幕用昇降コード案内杆を支持する前脚及び後脚を備え、前記ヘッドレールの前壁と後壁の間の下部開口から前幕用昇降コードをヘッドレール内に挿入してから、該前幕用昇降コードガイドも該下部開口からヘッドレールに挿入して取り付け可能であり、前記後幕用昇降コードガイドは、後幕用昇降コード案内杆を有しており、前記ヘッドレールに取り付けられた前記前幕用昇降コードガイドに、前記ヘッドレールの下部開口側から後幕用昇降コードをヘッドレール内に挿入してから、該下部開口側から装着して一体となる構成であることを特徴とするローマンシェード用の昇降コード案内具を提供する。
【００１１】
前記前幕用昇降コードガイドは、前記前脚及び後脚にそれぞれ並設された弾力性を有する前部切欠片及び後部切欠片が形成されており、該前部切欠片及び後部切欠片の嵌合部がヘッドレール下部開口縁部に摺動可能に嵌合する構成とすることが好ましい。  
【００１２】
前記後幕用昇降コードガイドは、前記後幕用昇降コード案内杆を有し、前幕用昇降コードガイドに装着しかつ取りはずし可能な本体部、及び前記ヘッドレールに対して摺動と固定を切り替えて取り付けられることのできる摺動固定切替部を備えており、前記ヘッドレールの下部開口側から、前記ヘッドレールに取り付けられた前記前幕用昇降コードガイドに、前記後幕用昇降コードガイドの本体部が装着されて前記前幕用昇降コードガイドと後幕用昇降コードガイドが一体とされ、前記ヘッドレールに前記摺動固定切替部を固定することによって、前記後幕用昇降コードガイドと後幕用昇降コードガイドがヘッドレールに固定される構成とすることが好ましい。
【００１３】
前記後幕用昇降コードガイドの本体部は、後幕用昇降コード案内杆を支持する前板及び後板を有し、該前板及び後板は、前記前幕用昇降コードガイドにおける、前脚及び前部係止片と、後脚及び後部係止片との間に、着脱可能に装着される構成することが好ましい。
【００１４】
本発明は上記課題を解決するために、前壁、頂壁及び後壁を有するヘッドレールを備え、前幕及び後幕を開閉可能とする前幕用昇降コード及び後幕用昇降コードを案内するローマンシェード用の昇降コード案内具であって、前記昇降コード案内具は、互いに装着されて一体に組み立てられ、かつ分解可能な、前幕用昇降コードガイド及び後幕用昇降コードガイドを備えており、前記後幕用昇降コードガイドは、後幕用昇降コード案内杆を支持する前脚及び後脚を備え、前記ヘッドレールの前壁と後壁の間の下部開口からヘッドレールに挿入して取り付け可能であり、前記前幕用昇降コードガイドは、前幕用昇降コード案内杆を有しており、前記ヘッドレールの下部開口側から、前記ヘッドレールに取り付けられた前記後幕用昇降コードガイドに装着して一体となる構成であることを特徴とするローマンシェード用の昇降コード案内具を提供する。
【００１５】
本発明は上記課題を解決するために、前壁、頂壁及び後壁を有するヘッドレールを備え、前幕及び後幕を開閉可能とする前幕用昇降コード及び後幕用昇降コードを案内するローマンシェード用の昇降コード案内具であって、前記昇降コード案内具は、互いに装着されて一体に組み立てられ、かつ分解可能な、前幕用昇降コードガイド及び後幕用昇降コードガイドを備えており、前記後幕用昇降コードガイドは、後幕用昇降コード案内杆を支持する前脚及び後脚を備え、前記ヘッドレールの前壁と後壁の間の下部開口から後幕用昇降コードをヘッドレール内に挿入してから、該後幕用昇降コードガイドも該下部開口からヘッドレールに挿入して取り付け可能であり、前記前幕用昇降コードガイドは、前幕用昇降コード案内杆を有しており、前記ヘッドレールに取り付けられた前記後幕用昇降コードガイドに、前記ヘッドレールの下部開口側から前幕用昇降コードをヘッドレール内に挿入してから、該下部開口側から装着して一体となる構成であることを特徴とするローマンシェード用の昇降コード案内具を提供する。
【００１６】
前記後幕用昇降コードガイドは、前記前脚及び後脚にそれぞれ並設された弾力性を有する前部切欠片及び後部切欠片が形成されており、該前部切欠片及び後部切欠片の嵌合部がヘッドレール下部開口縁部に摺動可能に嵌合する構成とすることが好ましい。  
【００１７】
前記前幕用昇降コードガイドは、前記前幕用昇降コード案内杆を有し、後幕用昇降コードガイドに装着しかつ取りはずし可能な本体部、及び前記ヘッドレールに対して摺動と固定を切り替えて取り付けられることのできる摺動固定切替部を備えており、前記ヘッドレールの下部開口側から、前記ヘッドレールに取り付けられた前記後幕用昇降コードガイドに、前記前幕用昇降コードガイドの本体部が装着されて前記後幕用昇降コードガイドと前幕用昇降コードガイドが一体とされ、前記ヘッドレールに前記摺動固定切替部を固定することによって、前記前幕用昇降コードガイドと後幕用昇降コードガイドがヘッドレールに固定される構成とすることが好ましい。
【００１８】
前記前幕用昇降コードガイドの本体部は、前幕用昇降コード案内杆を支持する前板及び後板を有し、該前板及び後板は、前記後幕用昇降コードガイドにおける、前脚及び前部係止片と、後脚及び後部係止片との間に、着脱可能に装着される構成とすることが好ましい。
【発明の効果】
【００１９】
本発明に係るローマンシェード用の昇降コード案内具は、昇降コード案内具は、互いに装着して一体にできかつ分解自在な前幕用昇降コードガイドと後幕用昇降コード部とから成り、ヘッドレールの下部開口から垂直方向に、前幕用昇降コードガイドを着脱可能に取り付け、その前幕用昇降コードガイドに後幕用昇降コードガイドを装着して互いに一体にして、さらに、後幕用昇降コードガイドをヘッドレールに固定する構成としたので、次のような顕著な効果が生じる。
【００２０】
昇降コード案内具、前幕用昇降コード及び後幕用昇降コードを、ヘッドレールの長手方向の端部から挿入して取り付ける必要がなく、前幕用昇降コード、後幕用昇降コード及び昇降コードを、ヘッドレールの下部開口から垂直方向に、取り付けることができる。そして、降コード案内具をヘッドレールの長手方向の所定の位置に、簡単に調整して固定することが可能である。従って、ローマンシェード用の昇降コード案内具をヘッドレールに取り付ける作業がきわめて簡単となる。
【発明を実施するための最良の形態】
【００２１】
本発明に係るローマンシェード用の昇降コード案内具を実施するための最良の形態を実施例に基づき図面を参照して、以下説明する。
【実施例】
【００２２】
（全体構成）
図１（ａ）は、本発明に係るローマンシェード用の昇降コード案内具１を取り付けたローマンシェード２の全体構成を示す図であり、図２は、昇降コード案内具１及びローマンシェード２の要部を説明する斜視図である。このローマンシェード２は、ヘッドレール３を備えており、ヘッドレール３の長手方向の所定の位置に、昇降コード案内具１が取り付けられている。
【００２３】
ヘッドレール３は、図１（ｂ）に図１（ａ）のＡ−Ａ断面図を示すように、断面が略門形であり、前壁４、後壁５及び頂壁６を備え、下方に開口７（本発明では、「下部開口」という。）が形成されている。前壁４及び後壁５の下端には、それぞれ互いに対向するように内側にフランジ縁部８が形成されている。フランジ縁部８は、ヘッドレール３の前壁４及び後壁５のそれぞれの下端から内方に向けて水平に張り出した水平部９と、水平部９の内端から下方に屈曲した下縁部１０とから成る。
【００２４】
ヘッドレール３の前壁４及び後壁５は、それぞれ外面１１に、前幕１２の上端及び後幕（図示せず。）の上端を取り付けることのできるファスナ１３が取り付けられている。
【００２５】
昇降コード案内具１は、図３に示すように別体であるが、図８に示すように、互いに装着し一体とでき、かつ取り外して分解可能な前幕用昇降コードガイド１４と後幕用昇降コードガイド１５とから成る。前幕用昇降コードガイド１４と後幕用昇降コードガイド１５は、別体であるが、詳細は後記するが、ヘッドレール３に取り付けた状態では、一体の昇降コード案内具１の構成とされる。
【００２６】
前幕用昇降コードガイド１４は、前幕用昇降コード１６を、ヘッドレール３の上部において案内するものであり、ヘッドレール３の下部開口７からヘッドレール３に着脱可能に取り付けることが可能な構成である。前幕用昇降コード１６は、ヘッドレール３内で長手方向に延びるように配設されているが、その基端（図１（ａ）中の右端）は、前幕用操作コード１８に接続されており、その先端は、前幕用昇降コードガイド１４（後記するが、前幕用昇降コードガイド案内杆３１）から下方に案内され前幕１２の下部に取り付けられている。
【００２７】
後幕用昇降コードガイド１５は、後幕用昇降コード１７を、ヘッドレール３の下部において案内するものである。後幕用昇降コードガイド１５は、その詳細な構造は後記するが、摺動固定切替部１９を有しており、この摺動固定切替部１９はヘッドレール３に沿って摺動可能であるとともに、ヘッドレール３を挟持して固定することが可能である。これにより、昇降コード案内具１をヘッドレール３の長手方向の所定の位置に固定することができる。
【００２８】
後幕用昇降コード１７は、ヘッドレール３内で長手方向に延びるように配設されているが、その基端は、後幕用操作コード２０に接続されており、その先端は、後幕用昇降コードガイド１５から下方に案内され、さらに前幕１２の上部に形成された挿通孔２１を通して下方に案内され、後幕（図示せず）の下部に取り付けられている。
【００２９】
前幕用昇降コード１６及び後幕用昇降コード１７を、それぞれ前幕用操作コード１８及び後幕用操作コード２０で操作することにより、前幕１２及び後幕の開閉操作を行うことができる。
【００３０】
（特徴的構成）
本発明に係るローマンシェード用の昇降コード案内具１の特徴的な構成は、昇降コード案内具１は、互いに装着し一体とでき、かつ取り外して分解可能な前幕用昇降コードガイド１４と後幕用昇降コードガイド１５とから構成し、そして、前幕用昇降コード１６、前幕用昇降コードガイド１４、後幕用昇降コード１７、後幕用昇降コードガイド１５の順で、ヘッドレール３の下部開口７からヘッドレール３に組み込み、その際、前幕用昇降コードガイド１４に後幕用昇降コードガイド１５を装着して一体とし、さらに後幕用昇降コードガイド１５によって、昇降コード案内具１をヘッドレール３に対する長手方向の移動に対して固定可能とする構成である。以下、その詳細な構成を説明する。
【００３１】
前幕用昇降コードガイド：
図４は、前幕用昇降コードガイド１４を示す図であり、図４（ａ）は平面図であり、図４（ｂ）は正面図であり、図４（ｃ）は、図４（ｂ）のＡ−Ａ断面図である。前幕用昇降コードガイド１４は、橋絡部２２で互いに一体に結合された前脚２３と後脚２４を備えている。
【００３２】
前幕用昇降コードガイド１４が、ヘッドレール３の前壁４と後壁５の間に挿入できるように、前脚２３と後脚２４の外面間の寸法と、ヘッドレール３の前壁４と後壁５の内面間の寸法が決められている。前脚２３と後脚２４は、それぞれ内面両側に案内用突縁２５が形成されている。また、前脚２３と後脚２４は、それぞれの内面左右に係止窪み２６が形成されている。
【００３３】
前幕用昇降コードガイド１４には、それぞれ前脚２３及び後脚２４に並設されるように、弾性を有し前後方向に弾力的に撓う前部切欠片２７及び後部切欠片２８が形成されている。前部切欠片２７及び後部切欠片２８は、それぞれの下端の外面に、外側に水平な受け片２９が形成されている。前部切欠片２７及び後部切欠片２８の外面には、それぞれの受け片２９より上方の位置に、下方に向かって徐々に外方にテーパ状に突出したテーパ状突起３０が形成されている。テーパ状突起３０の下面は水平面として形成されている。
【００３４】
テーパ状突起３０と受け片２９は、ヘッドレール３のフランジ縁部８に摺動可能に嵌合できるような嵌合部３０を形成している。即ち、テーパ状突起３０の下面と受け片２９の上面との間に、ヘッドレール３のフランジ縁部８を摺動可能に嵌合できる。テーパ状突起３０の下面と受け片２９の上面との間の間隔ｄ１と、ヘッドレール３のフランジ縁部８の上下方向の寸法ｄ２との関係が決められている。
【００３５】
前脚２３及び後脚２４の正面中央上部の間に、前幕用昇降コード案内杆３１が架け渡されるように取り付けられている。この前幕用昇降コード案内杆３１は、断面円形のピンで形成されている。ヘッドレール３内で長手方向に沿って案内される前幕用昇降コード１６は、前幕用昇降コード案内杆３１で下方に案内され、前幕１２の下部に取り付けられている。
【００３６】
前幕用昇降コード案内杆３１の取り付けられた前脚２３及び後脚２４の正面中央上部のさらに上方の頂部から、上方に向けて拡開した前後の案内片３２が形成されている。この前後の案内片３２は、ヘッドレール３内に装入された前幕用昇降コード１６が、ヘッドレール３内で前後側にそれて、ヘッドレール３の前壁４と前脚２３の間、又は後壁５と後脚２４の間に脱落して入り込み、前幕用昇降コード１６の動作を阻害するようなことを防止する。
【００３７】
後幕用昇降コードガイド：
後幕用昇降コードガイド１５は、図３に示すように、互いに着脱可能な本体部３３と摺動固定切替部１９から成る。本体部３３を図５に示し、図５（ａ）は平面図、図５（ｂ）は図５（ａ）の断面図、図５（ｃ）は側面図である。
【００３８】
本体部３３は、前板３４と後板３５が中間壁３６を介して平面コの字型に橋絡されており、中間壁３６の下端から、装着板３７が前板３４と後板３５と反対方向（図５（ａ）中、右方向）に水平に伸びるように形成されている。前板３４と後板３５との間には、後幕用昇降コード１７を案内する後幕用昇降コード案内杆３８が架け渡されるように取り付けられている。この後幕用昇降コード案内杆３８は、断面円形のピンで形成されている。
【００３９】
また、前板３４及び後板３５の外面左右には、係止突起３９が形成されている。この係止突起３９は、 前脚２３と後脚２４の内面左右に形成された係止窪み２６に係入して、後幕用昇降コードガイド１５を前幕用昇降コードガイド１４の前脚２３と後脚２４の間に嵌着した際に軽く係止する機能を有する。
【００４０】
なお、前脚２３と後脚２４の弾力に抗して前板３４及び後板３５を抜きとるような力をかければ、簡単に係止窪み２６及び係止突起３９の係合をはずすことができる。要するに、簡単に係脱できる程度に、係止窪み２６の深さ及び係止突起３９の高さは形成されている。
【００４１】
装着板４１には、一端に向けて開口したＵ型の凹所４０が形成されており、このＵ型の凹所４０には一端側に向けて円形の一部（略９０°程度の部分）が開口した湾曲状の装着孔４１が形成されている。装着板３７の基端の前後には摺動片４２が張り出すように形成されている。この摺動片４２は、昇降コード案内具１をヘッドレール３に装着すると、ヘッドレール３の前壁４及び後壁５の下端のフランジ縁部８に摺動可能に嵌合する。
【００４２】
摺動固定切替部１９を図６に示すが、図６（ａ）は平面図を、図６（ｂ）は正面図、図６（ｃ）は側面図、図６（ｄ）は下面図である。摺動固定切替部１９は、円形の基板４３と、基板４３上の中間軸４４と、中間軸４４上の挟持板４５と、基板４３下面の摘み４６とから一体成形されて成る。挟持板４５は、円板の前後を切り取って形成されたものであり、左右方向に長く前後方向に短く、全体的に扁平形をしている。
【００４３】
挟持板４５の長辺両端端部下面には、図６（ｃ）に示すように、徐々に肉厚が大きくなるテーパ状肉厚部４７が形成されている。また、挟持板４５の下面であって、中間軸４４の中心に対称の２箇所に回転規制用厚肉部４８が形成されており、摺動固定切替部１９の回転角度を９０°に規制している。
【００４４】
図３に示すように、後幕用昇降コードガイド１５において、本体部３３の装着板３７の装着孔４１の開口に向けて、扁平形の挟持板４５の長手方向の一端を向けて、装着孔４１の開口から装着孔４１に中間軸４４を嵌合させ、本体部３３と摺動固定切替部１９が一体となった後幕用昇降コードガイド１５に組み立てることができる。
【００４５】
（作用）
以上の構成から成る本発明に係るローマンシェード用の昇降コード案内具１の作用を、昇降コード案内具１をヘッドレール３に取り付ける工程とともに説明する。
【００４６】
まず、ヘッドレール３を、図７に示すように、その下部開口７を上方に向ける。もちろん、下部開口７を下方に向けたままでもよいが、上方に向けて作業した方がし易いので、上方に向けた状態で以下説明する。
【００４７】
前幕用昇降コード１６を、下部開口７からヘッドレール３内に入れる。従来のヘッドレール３と異なり、ヘッドレール３の長手方向の端部から、前幕用昇降コード１６を挿入していく必要がなく、一括して下部開口７から前幕用昇降コード１６を入れることができるので、作業が簡単となる。
【００４８】
次に、前幕用昇降コードガイド１４を上下逆にして、拡開した前後の案内片３２を内側に少し縮めて、下部開口７からヘッドレール３内に挿入する。実際は、下部開口部７に水平面で斜めに前幕用昇降コードガイド１４を位置させて、案内片３２をフランジ縁部８に当接させて水平面内で回転するようにすると下部開口７からヘッドレール３内に挿入しやすい。
【００４９】
そして、前幕用昇降コードガイド１４をヘッドレール３内に挿入していくと、テーパ状突起３０のテーパ面がヘッドレール３のフランジ縁部８に当接し、さらに押し込むと、前部切欠片２７及び後部切欠片２８は、それぞれその弾力に抗して互いに近づくように内側に撓い、最終的に嵌合部３０’（テーパ状突起３０と受け片２９の間の部分）にフランジ縁部８が摺動可能に嵌合される。このようにして、前幕用昇降コードガイド１４が、ヘッドレール３に取り付けられる。但し、この状態は最終的な固定した取り付けではない。
【００５０】
次に、後幕用昇降コード１７を、前幕用昇降コード１６と同様に、下部開口７からヘッドレール３内に入れる。この場合、すでにヘッドレール３に取り付けられている前幕用昇降コードガイド１４の部分については、前脚２３と後脚２４の間に後幕用昇降コード１７を入れる。後幕用昇降コード１７についても、一括して下部開口７から前幕用昇降コード１６を入れることができるので、作業が簡単となる。
【００５１】
次に、本体部３３と摺動固定切替部１９が一体に装着された後幕用昇降コードガイド１５を、図７に示すように、上下逆にして、前板３４と後板３５を、前幕用昇降コードガイド１４の前脚２３と後脚２４の案内用突縁２５の間に挿入して押し込み、前板３４と後板３５の係止突起３９を前脚２３と後脚２４の係止窪み２６内に係入する。これにより、前幕用昇降コードガイド１４と後幕用昇降コードガイド１５が互いに装着されて一体の昇降コード案内具１となる。
【００５２】
この状態では、ヘッドレール３のフランジ縁部８が、前脚２３と後脚２４の嵌合部３０’、及び摺動片４２に、摺動可能に嵌合しており、摺動固定切替部１９の基板４３の上面に当接はしているが、テーパ状厚肉部４７はヘッドレール３のフランジ縁部８に対向する位置にないので、昇降コード案内具１は、ヘッドレール３に沿って長手方向に摺動可能であり、長手方向の所定の位置に設定することができる。
【００５３】
次に、摺動固定切替部１９の摘み４６を、図６（ｄ）に示すようにロック方向に回転すると、扁平状の挟持板４５の長手方向は前後方向に向き、正面から見て図６（ｃ）の位置となる。すると、基板４３と、挟持板４５下面のテーパ状厚肉部４７で、ヘッドレール３のフランジ縁部８を締めつけて挟持する。この結果、昇降コード案内具１全体が、ヘッドレール３の長手方向の所定の位置に固定して取り付けられた状態となる。
【００５４】
このように、前幕用昇降コードガイド１４と後幕用昇降コードガイド１５が、互いに装着され、しかもヘッドレール３に固定され、一体となった状態の昇降コード案内具１を図８に示す。なお、この状態では、後幕用昇降コードガイド１５において、回転規制用厚肉部４８が装着板３７の凹所４０に当接し、過回転を防止する。
【００５５】
そして、ヘッドレール３に昇降コード案内具１が取り付けられた状態では、後幕用昇降コードガイド１５の前板３４と後板３５が、前幕用昇降コードガイド１４の前脚２３と後脚２４の間に装着されているので、前幕用昇降コードガイド１４の前脚２３と後脚２４は内側に撓うことがないような拘束状態になるので、前脚２３と後脚２４の嵌合部３０’に嵌合している、ヘッドレール３のフランジ縁部８がはずれることがなく、抜け落ちることが防止される。
【００５６】
なお、ヘッドレール３から昇降コード案内具１を取り外す際には、まず、摺動固定切替部１９の摘み４６をフリー状態にしてから、後幕用昇降コードガイド１５を、下部開口７から垂直方向に離れるようにして、前幕用昇降コードガイド１４からとりはずす。その際、係止窪み２６と係合突起３９の係合は、軽い係合状態であるから、後幕用昇降コードガイド１５を前幕用昇降コードガイド１４から引く抜くことで簡単に係合がはずれる。
【００５７】
そして、ヘッドレール３に取り付けられた状態の前幕用昇降コードガイド１４を取り外すのであるが、そのために、前脚２３及び後脚２４の弾力に抗するようにして、互いに近づくようにヘッドレール３の内側に撓わせれば、嵌合部３０’をヘッドレール３のフランジ縁部８からはずすことができる。この状態で、ヘッドレール３の下部開口７から昇降コード案内具１を抜き取って取り外すことが可能となる。
【００５８】
本発明に係るローマンシェードの昇降コード案内具１の構成は、以上説明したとおりであるが、このような構成によると、ヘッドレール３の長手方向の端部のヘッドレールカバー４９をヘッドレール３から取り外し、そのヘッドレール３の端部から、昇降コード案内具１、前幕用昇降コード１６及び後幕用昇降コード１７等を挿入して取り付けるような、面倒な作業をする必要がなくなる。
【００５９】
即ち、本発明のローマンシェードの昇降コード案内具１によれば、ヘッドレール３の下部開口７から垂直方向に、前幕用昇降コード１６、前幕用昇降コードガイド１４、後幕用昇降コード１７及び後幕用昇降コードガイド１５を、順次をヘッドレール３へ取り付けることができ、しかも、昇降コード案内具１を、ヘッドレール３の長手方向の所定の位置に調整してから、固定することが可能である。従って、ヘッドレール３への昇降コード案内具１の取り付け作業がきわめて簡単となる。
【００６０】
以上の実施例では、前幕用昇降コードガイド１４と後幕用昇降コードガイド１５をヘッドレール３の上と下に配置し、ヘッドレール３の上と下において前幕用昇降コード１６と後幕用昇降コード１７を案内する構成とした。
【００６１】
具体的には、前幕用昇降コードガイド１４は、前幕用昇降コード案内杆３１を支持する前脚２３及び後脚２４を備え、弾力性を有する前部切欠片２７及び後部切欠片２８が形成された構成であり、後幕用昇降コードガイド１５は、後幕用昇降コード案内杆１７を有し、前幕用昇降コードガイド１４に装着しかつ取りはずし可能な本体部３３、及びヘッドレール３に対して摺動と固定を切り替えて取り付けられることのできる摺動固定切替部１９を備えた構成とし、まず、前幕用昇降コードガイド１４をヘッドレール３にその下部開口７側から挿入して取り付け、その後、後幕用昇降コードガイド１５を前幕用昇降コードガイド１４に装着して、摺動固定切替部１９をヘッドレール３に固定することによって、昇降コード案内具１全体をヘッドレール３に長手方向に摺動しないように固定される構成とした。
【００６２】
（別の実施例）
しかしながら、本発明は、後幕用昇降コードガイドと前幕用昇降コードガイドをヘッドレール３の上と下に配置し、ヘッドレール３の上部と下部において後幕用昇降コードと前幕用昇降コードを案内する実施例の構成としてもよい。
【００６３】
この別の実施例の場合は、後幕用昇降コードガイドは、後幕用昇降コード案内杆を支持する前脚２３及び後脚２４を備え、弾力性を有する前部切欠片２７及び後部切欠片２８が形成された構成であり、前幕用昇降コードガイドは、前幕用昇降コード案内杆を有し、後幕用昇降コードガイドに装着しかつ取りはずし可能な本体部３３、及びヘッドレール３に対して摺動と固定を切り替えて取り付けられることのできる摺動固定切替部１９を備えて構成とし、まず、後幕用昇降コードガイドをヘッドレール３にその下部開口７側から挿入して取り付け、その後で前幕用昇降コードガイドを後幕用昇降コードガイドに装着して、摺動固定切替部１９をヘッドレール３に固定することによって、後幕用昇降コードガイドと前幕用昇降コードガイドがヘッドレール３に固定される構成となる。
【００６４】
即ち、上記実施例の記載中の「前幕用昇降コード」、「前幕用昇降コードガイド」と、「後幕用昇降コード」及び「後幕用昇降コードガイド」とを、互いに置き換えて説明される別の実施例としてもよい。
【００６５】
以上、本発明に係る縦型ブラインドを実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００６６】
以上の構成から成る本発明のローマンシェードの昇降コード案内具は、ヘッドレール内の上下において、複数の昇降コードを案内する各種のカーテンに適用可能である。
【図面の簡単な説明】
【００６７】
【図１】本発明の実施例を説明する図であり、（ａ）は本発明の昇降コード案内具を取り付けたローマンシェードの全体構成を示す正面図であり、（ｂ）はＡ−Ａ断面図である。
【図２】本発明の実施例を説明する図であり、本発明の昇降コード案内具を取り付けたローマンシェードの要部を説明する斜視図である。
【図３】本発明の実施例の昇降コード案内具を分解した状態を示す正面図である。
【図４】本発明の実施例の前幕用昇降コードガイドを示す図であり、（ａ）は平面図、（ｂ）は正面図、（ｃ）は（ｂ）のＡ−Ａ断面図である。
【図５】本発明の実施例の後幕用昇降コードガイドの本体部を示す図であり、（ａ）は平面図、（ｂ）は（ａ）のＡ−Ａ断面図、（ｃ）は側面図である。
【図６】本発明の実施例の摺動固定切替部を示す図であり、（ａ）は平面図、（ｂ）は正面図、（ｃ）は側面図、（ｄ）は下面図である。
【図７】本発明の実施例の昇降コード案内具をヘッドレールに取り付ける工程を説明する斜視図である。
【図８】本発明の実施例の昇降コード案内具を説明する図であり、（ａ）は正面図であり、（ｂ）は側面図である。
【符号の説明】
【００６８】
１  昇降コード案内具                           
２  ローマンシェード                           
３  ヘッドレール                               
４  ヘッドレールの前壁                         
５  ヘッドレールの後壁                         
６  ヘッドレールの頂壁                         
７  ヘッドレールの下部開口                     
８  ヘッドレールのフランジ縁部                 
９  フランジ縁部の水平部                       
１０  フランジ縁部の下縁部                         
１１  ヘッドレールの前後壁の外面                   
１２  前幕                                         
１３  ファスナ                                     
１４  前幕用昇降コードガイド                       
１５  後幕用昇降コードガイド                       
１６  前幕用昇降コード                             
１７  後幕用昇降コード                             
１８  前幕用操作コード                             
１９  後幕用昇降コードガイドの摺動固定切替部       
２０  後幕用操作コード                             
２１  前幕に形成された後幕用昇降コード用の挿通孔   
２２  前幕用昇降コードガイドの橋絡部               
２３  前幕用昇降コードガイドの前脚                 
２４  前幕用昇降コードガイドの後脚                 
２５  前脚及び後脚の外面に形成された案内用突縁      
２６  前脚及び後脚の内面に形成された係止窪み         
２７  前幕用昇降コードガイドの前部切欠片           
２８  前幕用昇降コードガイドの後部切欠片           
２９  前幕用昇降コードガイドの受け片               
３０  テーパ状突起                                 
３０’  前部及び後部切欠片の外面に形成された嵌合部 
３１  前幕用昇降コード案内杆                    
３２  前幕用昇降コードガイドの案内片            
３３  後幕用昇降コードガイドの本体部            
３４  後幕用昇降コードガイドの前板              
３５  後幕用昇降コードガイドの後板              
３６  後幕用昇降コードガイドの中間壁            
３７  後幕用昇降コードガイドの装着板            
３８  後幕用昇降コード案内杆                    
３９  後幕用昇降コードガイドの係止突起          
４０  装着板のＵ型の凹所                       
４１  装着板の装着孔                           
４２  後幕用昇降コードガイドの摺動片           
４３  摺動固定切替部の基板                      
４４  摺動固定切替部の中間軸                    
４５  摺動固定切替部の挟持板                    
４６  摺動固定切替部の摘み                      
４７  摺動固定切替部のテーパ状厚肉部            
４８  回転規制用厚肉部          
【図１】
2008284074.tif 000003
【図２】
2008284074.tif 000004
【図３】
2008284074.tif 000005
【図４】
2008284074.tif 000006
【図５】
2008284074.tif 000007
【図６】
2008284074.tif 000008
【図７】
2008284074.tif 000009
【図８】
2008284074.tif 000010